(57)【要約】【課題】電波傍受による情報漏洩の危険性がなく情報保護に優れると共に、一のコンピュータ装置がウイルス感染等の攻撃に曝される場合に通信ネットワークで接続される他のコンピュータ装置への連鎖的被害を防止できる通信接続機器を提供する。【解決手段】第１のコンピュータ装置からの電源を供給可能な通信ケーブル５の端子５１が挿入される第１の挿入部２６と、第１の赤外線送受信部と、第１の挿入部２６と第１の赤外線送受信部とに接続して設けられ、第１の通信ケーブル５から入力される電源及びＯＮ／ＯＦＦ信号に応じて駆動／停止し、電気信号と赤外線信号の相互変換を行うと共に第１の赤外線送受信部の駆動を制御する第１の回路基板２３と、第１の挿入部２６、第１の赤外線送受信部、第１の回路基板２３と各々同一構成である、通信ケーブル６の端子６１が挿入される第２の挿入部３６、第２の赤外線送受信部、第２の回路基板３３とを備え、第１、第２の赤外線送受信部を離間して略対向するように設ける通信接続機器。【選択図】図１
2009004934.tif 000002
【特許請求の範囲】
【請求項１】
第１のコンピュータ装置に接続されて前記第１のコンピュータ装置の電源を供給可能な第１の通信ケーブルの端子が挿入される第１の挿入部と、
第１の赤外線送受信部と、
前記第１の挿入部と前記第１の赤外線送受信部とに接続して設けられ、前記第１の通信ケーブルから入力される電源及びＯＮ／ＯＦＦ信号に応じて駆動／停止し、電気信号と赤外線信号の相互変換を行うと共に第１の赤外線送受信部の駆動を制御する第１の変換制御回路と、
第２のコンピュータ装置に接続されて前記第２のコンピュータ装置の電源を供給可能な第２の通信ケーブルの端子が挿入される第２の挿入部と、
前記第１の赤外線送受信部と離間して略対向するように設けられる第２の赤外線送受信部と、
前記第２の挿入部と前記第２の赤外線送受信部とに接続して設けられ、前記第２の通信ケーブルから入力される電源及びＯＮ／ＯＦＦ信号に応じて駆動／停止し、電気信号と赤外線信号の相互変換を行うと共に第２の赤外線送受信部の駆動を制御する第２の変換制御回路とを備えることを特徴とする通信接続機器。
【請求項２】
第１のコンピュータ装置に接続された第１の通信ケーブルの端子が挿入される第１の挿入部と、
第１の赤外線送受信部と、
前記第１の挿入部と前記第１の赤外線送受信部とに接続して設けられ、前記第１の通信ケーブルから入力されるＯＮ／ＯＦＦ信号に応じて駆動／停止し、電気信号と赤外線信号の相互変換を行うと共に第１の赤外線送受信部の駆動を制御する第１の変換制御回路と、
第２のコンピュータ装置に接続された第２の通信ケーブルの端子が挿入される第２の挿入部と、
前記第１の赤外線送受信部と離間して略対向するように設けられる第２の赤外線送受信部と、
前記第２の挿入部と前記第２の赤外線送受信部とに接続して設けられ、前記第２の通信ケーブルから入力されるＯＮ／ＯＦＦ信号に応じて駆動／停止し、電気信号と赤外線信号の相互変換を行うと共に第２の赤外線送受信部の駆動を制御する第２の変換制御回路と、
前記第１の変換制御回路と前記第２の変換制御回路とに電源を供給する電源部とを備えることを特徴とする通信接続機器。
【請求項３】
前記第１の赤外線送受信部と前記第２の赤外線送受信部との間の光路を被覆するように遮光性のシールドを設けることを特徴とする請求項１又は２記載の通信接続機器。
【請求項４】
患者の医療情報を管理する医療情報管理サーバと、患者端末と外部通信ネットワークを介して接続され、患者の予約情報を管理する予約情報管理サーバとを、内部通信ネットワークを介して接続する医療支援システムであって、
前記内部通信ネットワークを請求項１〜３の何れかに記載の通信接続機器を介在して構成することを特徴とする医療支援システム。
【発明の詳細な説明】
【技術分野】
【０００１】
本発明は、コンピュータ装置相互の通信ネットワークを構成する通信接続機器及びその通信接続機器を備える医療支援システムに関する。
【背景技術】
【０００２】
サーバやパーソナルコンピュータ等のコンピュータ装置相互の通信ネットワークは、コンピュータ装置相互を通信ケーブルを介して接続する有線方式、或いはコンピュータ装置相互を無線ＬＡＮ等の無線で接続する無線方式で構成されるのが一般的である。そして、無線方式はＬＡＮケーブルによる接続を要せずに通信を使用できる便利さはあるものの、電波傍受で情報が漏洩する危険性があるため、情報保護に高い安全性が求められる場合には、電波傍受のリスクのない有線方式の通信ネットワークが使用されているのが実情である。尚、例えば特許文献１には、端末装置相互をＬＡＮケーブルを介して接続する有線方式の通信ネットワークが開示されている。
【０００３】
【特許文献１】特開２００２−１９８９８５号公報
【発明の開示】
【発明が解決しようとする課題】
【０００４】
ところで、通信ケーブルによる有線方式の通信ネットワークは、傍受による情報漏洩の危険性がないが、一のコンピュータ装置がインターネットに接続されるＷＥＢサーバなど外部と接続されるコンピュータ装置であり、前記一のコンピュータ装置がウイルス感染等の攻撃に曝される場合、通信ケーブルで通信可能に常時接続されている他のコンピュータ装置も連鎖して危険に曝されるという問題がある。
【０００５】
本発明は上記課題に鑑み提案するものであって、傍受による情報漏洩の危険性がなく情報保護に優れると共に、一のコンピュータ装置がウイルス感染等の攻撃に曝される場合に、通信ネットワークで接続される他のコンピュータ装置への連鎖的被害を防止することができる通信接続機器、及びその通信接続機器を備える医療支援システムを提供することを目的とする。
【課題を解決するための手段】
【０００６】
本発明の通信接続機器は、第１のコンピュータ装置に接続されて前記第１のコンピュータ装置の電源を供給可能な第１の通信ケーブルの端子が挿入される第１の挿入部と、第１の赤外線送受信部と、前記第１の挿入部と前記第１の赤外線送受信部とに接続して設けられ、前記第１の通信ケーブルから入力される電源及びＯＮ／ＯＦＦ信号に応じて駆動／停止し、電気信号と赤外線信号の相互変換を行うと共に第１の赤外線送受信部の駆動を制御する第１の変換制御回路と、第２のコンピュータ装置に接続されて前記第２のコンピュータ装置の電源を供給可能な第２の通信ケーブルの端子が挿入される第２の挿入部と、前記第１の赤外線送受信部と離間して略対向するように設けられる第２の赤外線送受信部と、前記第２の挿入部と前記第２の赤外線送受信部とに接続して設けられ、前記第２の通信ケーブルから入力される電源及びＯＮ／ＯＦＦ信号に応じて駆動／停止し、電気信号と赤外線信号の相互変換を行うと共に第２の赤外線送受信部の駆動を制御する第２の変換制御回路とを備えることを特徴とする。
【０００７】
また、本発明の通信接続機器は、第１のコンピュータ装置に接続された第１の通信ケーブルの端子が挿入される第１の挿入部と、第１の赤外線送受信部と、前記第１の挿入部と前記第１の赤外線送受信部とに接続して設けられ、前記第１の通信ケーブルから入力されるＯＮ／ＯＦＦ信号に応じて駆動／停止し、電気信号と赤外線信号の相互変換を行うと共に第１の赤外線送受信部の駆動を制御する第１の変換制御回路と、第２のコンピュータ装置に接続された第２の通信ケーブルの端子が挿入される第２の挿入部と、前記第１の赤外線送受信部と離間して略対向するように設けられる第２の赤外線送受信部と、前記第２の挿入部と前記第２の赤外線送受信部とに接続して設けられ、前記第２の通信ケーブルから入力されるＯＮ／ＯＦＦ信号に応じて駆動／停止し、電気信号と赤外線信号の相互変換を行うと共に第２の赤外線送受信部の駆動を制御する第２の変換制御回路と、前記第１の変換制御回路と前記第２の変換制御回路とに電源を供給する電源部とを備えることを特徴とする。
【０００８】
また、本発明の通信接続機器は、前記第１の赤外線送受信部と前記第２の赤外線送受信部との間の光路を被覆するように遮光性のシールドを設けることを特徴とする。前記遮光性のシールドは、例えば第１、第２の赤外線送受信部を収容する遮光性のケース、或いは第１、第２の赤外線送受信部間の光路を被覆する遮光性のカバー等とすることが可能である。
【０００９】
また、本発明の医療支援システムは、患者の端末装置と外部通信ネットワークを介して接続され、患者の予約情報を管理する予約情報管理サーバと、患者の医療情報を管理する医療情報管理サーバとを、内部通信ネットワークを介して接続する医療支援システムであって、前記内部通信ネットワークを本発明の通信接続機器で接続して構成することを特徴とする。前記予約情報管理サーバと前記医療情報管理サーバの構成は適宜であり、例えば既存の予約管理サーバや医療情報管理サーバを適宜採用することができる。
【００１０】
尚、本明細書開示の発明には、各発明や各実施形態の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれる。
【発明の効果】
【００１１】
本発明の通信接続機器或いは医療支援システムは、傍受による情報漏洩の危険性がなく情報保護に優れると共に、一のコンピュータ装置がウイルス感染等の攻撃に曝される場合に、通信ネットワークで接続される他のコンピュータ装置への連鎖的被害を防止することができる。更に、第１の赤外線送受信部と前記第２の赤外線送受信部との間の光路を被覆するように遮光性のシールドを設けることにより、傍受による情報漏洩の危険性を完全に無くし、より完全な情報保護を図ることができる。
【発明を実施するための最良の形態】
【００１２】
以下では、本発明の通信接続機器及び医療支援システムの実施形態について説明する。
【００１３】
〔第１実施形態の通信接続機器〕
第１実施形態の通信接続機器１は、図１及び図２に示すように、入力される電気信号を赤外線信号に変換して出力すると共に、入力される赤外線信号を電気信号に変換して出力する、第１のデータ送受信部２と第２のデータ送受信部３とを有し、第１のデータ送受信部２と第２のデータ送受信部３は、略直方体形のケース４に収容されている。ケース４は、遮光性の素材で形成され、或いは遮光性の素材を表面に塗布して構成され、ケース４内の赤外線通信の赤外線光が外部に透過することを防止或いは抑制可能である。ケース４は、上蓋４１が開閉可能であると共に、対向する側壁４２・４２に、通信ケーブル５、６の端子５１、６１を挿入するための挿通孔４３・４３が一対設けられている。
【００１４】
第１のデータ送受信部２は、四本の支柱２１で支持された取付基板２２を有し、電気信号と赤外線信号の相互変換を行う第１の変換制御回路に相当する回路基板２３が取付基板２２の上側面に設けられている。回路基板２３には、赤外線の送信部を構成する赤外線ＬＥＤ２４と、赤外線の受信部を構成するフォトトランジスタ２５とが導通接続され、赤外線ＬＥＤ２４とフォトトランジスタ２５は回路基板２３の制御に応じて駆動する。赤外線ＬＥＤ２４とフォトトランジスタ２５は、取付基板２２の上面側に略平行となるように配設され、本実施形態では後述する第１の挿入部２６の端子挿入口側と逆方向を向くように配置されている。赤外線ＬＥＤ２４とフォトトランジスタ２５は第１の赤外線送受信部を構成する。
【００１５】
回路基板２３の上面側には通信ケーブル５の端子５１が挿入される第１の挿入部２６が設けられ、第１の挿入部２６は回路基板２３に導通接続されている。第１の挿入部２６は端子挿入口側をケース４の挿通孔４３に向けて配置されており、通信ケーブル５の端子５１を挿通孔４３を介して第１の挿入部２６に挿入することにより、通信ケーブル５と回路基板２３を導通接続することが可能である。
【００１６】
回路基板２３は、第１の挿入部２６に端子５１が挿着された通信ケーブル５から電気信号の入力を受け、前記電気信号を赤外線信号に変換して赤外線ＬＥＤ２４から出力すると共に、フォトトランジスタ２５が受光する赤外線信号を電気信号に変換して第１の挿入部２６を介し通信ケーブル５へ出力することが可能な構成である。
【００１７】
第２のデータ送受信部３は、支柱３１で支持される取付基板３２、電気信号と赤外線信号の相互変換を行う第２の変換制御回路に相当する回路基板３３、回路基板３３に接続されて第２の赤外線送受信部を構成する赤外線ＬＥＤ３４及びフォトトランジスタ３５、通信ケーブル６の端子６１が挿入される第２の挿入部３６とを備え、第１のデータ送受信部２の対応する構成とそれぞれ同一構成で、配置され、導通接続されているが、赤外線ＬＥＤ３４は第１のデータ送受信部２のフォトトランジスタ２５と離間して略対向するように配置され、フォトトランジスタ３５は第１のデータ送受信部２の赤外線ＬＥＤ２４と離間して略対向するように配置されている。
【００１８】
赤外線ＬＥＤ２４とフォトトランジスタ３５の離間距離、赤外線ＬＥＤ３４とフォトトランジスタ２５の離間距離はそれぞれ０ｃｍ超１０ｃｍ以内とすると好適であるが、例えば０ｃｍ超５０ｃｍ以内、０ｃｍ超１ｍ以内とするなど、赤外線通信が可能な距離に応じて適宜設定可能である。また、赤外線ＬＥＤ２４の中心軸とフォトトランジスタ３５の中心軸間の角度は最適には０°、好適には０°〜５°とするとよいが、３０°以内とするなど赤外線通信が可能な範囲で適宜設定することが可能である。
【００１９】
通信ケーブル５、６は、通信するデータの信号、後述のＯＮ／ＯＦＦ信号、電源等を流すものである。通信ケーブル５は、所定サーバなど第１のコンピュータ装置の挿入口に一方の端子を挿入して取り付けられ、通信接続機器１の第１の挿入部２６に他方の端子５１を挿着して取り付けられる。通信ケーブル５は、例えばＵＳＢ２．０のように一方の装置の電源を他方に供給できるものであり、前記第１のコンピュータ装置の電源が通信ケーブル５を介して通信接続機器１の第１のデータ送受信部２に供給され、回路基板２３を駆動する電源となる。また、通信ケーブル６も同様に、所定サーバなど第２のコンピュータ装置の挿入口に一方の端子を挿入して取り付けられ、通信接続機器１の第２の挿入部３６に他方の端子５１を装着して取り付けられ、前記第２のコンピュータ装置の電源を第２のデータ送受信部３に供給し、前記供給電源は通信接続機器１の回路基板３３を駆動する電源となる。
【００２０】
第１のデータ送受信部２の回路基板２３は、通信ケーブル５から入力されるＯＮ／ＯＦＦ信号、即ち第１のコンピュータ装置から通信ケーブル５を介して入力されるＯＮ／ＯＦＦ信号でＯＮ／ＯＦＦ制御され、ＯＮ信号の入力でＯＮ状態である場合にのみ、通信データに対する電気信号と赤外線信号の相互変換を行うと共に、赤外線ＬＥＤ２４及びフォトトランジスタ２５の駆動を制御する。また、第２のデータ送受信部３の回路基板３３も同様に、通信ケーブル６或いは第２のコンピュータ装置から入力されるＯＮ／ＯＦＦ信号でＯＮ／ＯＦＦ制御され、ＯＮ信号の入力でＯＮ状態である場合にのみ、通信データに対する電気信号と赤外線信号の相互変換を行うと共に、赤外線ＬＥＤ３４及びフォトトランジスタ３５の駆動を制御する。
【００２１】
尚、第１、第２のコンピュータ装置は、少なくとも、制御プログラムと協働するＣＰＵ等の制御処理部、ＲＯＭ・ＲＡＭ・ハードディスク等の記憶部を常時備える構成とし、ディスプレイ等の出力部、キーボード・マウス等の入力部を常時備える或いは必要に応じて取り付けるものとするとよい。第１、第２のコンピュータ装置は、例えばサーバ相互、パーソナルコンピュータ相互、サーバとパーソナルコンピュータとすることが好ましいが、制御処理部と記憶部を備える適宜の装置とすることが可能であり、例えばサーバと通信可能なネットワーク家電製品、携帯電話、携帯情報端末等とすることが可能である。
【００２２】
また、第１、第２のコンピュータ装置に於けるＯＮ／ＯＦＦ信号の送信は、前記第１、第２のコンピュータ装置の記憶部に通信接続機器１の制御プログラムを設定記憶し、制御処理部が前記制御プログラムに応じて出力表示部に通信接続機器１のＯＮ／ＯＦＦボタンを表示し、入力部からＯＮ／ＯＦＦボタンの指定入力に応じて、制御処理部がＯＮ信号又はＯＦＦ信号を通信接続機器１に送信する構成とすると良好である。或いは第１、第２のコンピュータ装置がタイマーを備え、制御処理部が制御プログラムに対応して記憶部に保持されている所定時刻と前記タイマーで認識する時刻を対比し、前記所定時刻の到来に応じてＯＮ信号又はＯＦＦ信号を通信接続機器１に送信する構成とし、例えば一日の限られた時間だけ第１、第２のコンピュータ装置が通信可能となるようにしてもよい。
【００２３】
また、第１、第２のコンピュータ装置は、その制御処理部のＵＡＲＴで送受信するデータを変換することが好ましい。また、第１、第２のコンピュータ装置は、送受信するデータをＰＧＰ、OpenＳＳＨなどで暗号化して送受信することが好ましい。また、送受信するデータをテキストファイルに限定すると、文字情報以外のデータを必要とするウイルスを排除できて好適である。
【００２４】
上記第１実施形態の通信接続機器１は、近距離の赤外線通信の通信ネットワークを構成できるので、傍受による情報漏洩の危険性がなく情報保護に優れる。更に、第１、第２の赤外線送受信部が遮光性のケース４内に収納されることから、外部への赤外線の放射を遮断し、傍受による情報漏洩の危険性を完全に無くし、より完全な情報保護を図ることができる。また、第１の回路基板２３がＯＮ信号の入力でＯＮ状態とされ、且つ第２の回路基板３３がＯＮ信号の入力でＯＮ状態とされている場合にのみ、第１、第２の赤外線送受信部が通信可能となるので、例えばインターネットに接続されているＷＥＢサーバと内部管理サーバとを、通信接続機器１で構成する通信ネットワークで接続することにより、ＷＥＢサーバがウイルス感染等の攻撃に曝された場合に、内部管理サーバに連鎖的に被害が拡大することをより確実に防止することができる。また、通信ケーブル５、６から供給される電源で駆動するので、通信接続機器１に電源部を設ける必要がない。
【００２５】
〔第２実施形態の通信接続機器〕
次に、第２実施形態の通信接続機器１について説明する。第２実施形態の通信接続機器１は、図３に示すように、ケース４ａがアクリル樹脂など透過性の素材で形成されていると共に、赤外線ＬＥＤ２４及びフォトトランジスタ２５で構成される第１の赤外線送受信部と、赤外線ＬＥＤ３４及びフォトトランジスタ３５で構成される第２の赤外線送受信部とが、遮光性のカバー７で被覆されている。その他の構成は第１実施形態と同一である。
【００２６】
第２実施形態の通信接続機器１は、透光性のケース４ａを透して内部の状態を外部から把握できるので、通信障害が生じた場合等に外部から確認することができ、メンテナンスの容易化・効率化を図ることができる。また、赤外線ＬＥＤ２４からフォトトランジスタ３５への赤外線の光路と、赤外線ＬＥＤ３４からフォトトランジスタ２５への赤外線の光路を遮光性のカバー７で被覆するので、第１、第２の赤外線送受信部間の赤外線通信が傍受されることを確実に防止し、通信される情報を確実に保護することができる。
【００２７】
〔第３実施形態の通信接続機器〕
次に、第３実施形態の通信接続機器１について説明する。第３実施形態の通信接続機器１は、図４に示すように、第１、第２のデータ送受信部２、３に於いて、取付基板２２、３２の上面側に電源部２７、３７がそれぞれ設けられ、各電源部２７、３７が各々導通接続されている回路基板２３、３３に電源を供給するようになっていると共に、通信ケーブル５ａ、６ａは、電源供給を行わずに、通信するデータの信号や、回路基板２３、３３をＯＮ／ＯＦＦするＯＮ／ＯＦＦ信号を流すものである。その他の構成は第１実施形態と同一である。
【００２８】
第３実施形態の通信接続機器１は、第１、第２のデータ送受信部２、３に電源部２７、３７を設ける必要があるものの、例えばＵＳＢ１．０など電源供給できない通信ケーブル５ａ、６ａを使用することが可能であり、多様な接続環境に対する適応性を高めることができる。尚、本発明に於ける通信ケーブルには例示のもの意外にも適宜のものが含まれ、例えば光ファイバーケーブルとしてもよい。
【００２９】
〔通信接続機器１によるネットワークシステムの構成例：医療支援システム〕
次に、第１〜第３実施形態の通信接続機器１で構成する通信ネットワークでコンピュータ装置を接続して構築するネットワークシステムの構成例を説明する。図５に示す構成例は医療支援システム１００であり、患者の医療情報を管理する医療情報管理サーバ１０１と、患者の予約情報を管理する予約情報管理サーバ１０２とが内部通信ネットワークを介して接続され、第１〜第３実施形態の何れかの通信接続機器１により前記内部通信ネットワークが構成されている。医療情報管理サーバ１０１は、院内で機密性の高い患者の医療情報を管理し、診察室等に設置されている院内端末１０３と内部通信ネットワークを介して接続されている。予約情報管理サーバ１０２は、患者の予約情報を管理し、患者の患者端末２００と外部通信ネットワークであるインターネット３００を介して接続される。
【００３０】
医療情報管理サーバ１０１と、予約情報管理サーバ１０２の構成は適宜であり、既存の医療情報を管理するサーバや、既存の予約情報を管理するサーバ等とすることが可能である。例えば予約管理サーバ１０２は、制御プログラムと協働する制御処理部が、記憶部に記憶するＩＤ及びパスワードによる照合認証後に、記憶部に記憶する診察予約可能な日時を患者端末２００に提示し、患者端末２００から診察予約可能な日時の中から指定日時を受信して記憶部に記憶すると共に、前記ＩＤに対応する予約指定日時の受付確認を患者端末２００に送信する構成等とし、更に、通信接続機器１で構成される通信ネットワークを介して、予約情報管理サーバ１０２の制御処理部が医療情報管理サーバ１０１に前記ＩＤ及び予約指定日時を送信し、医療情報管理サーバ１０１の制御プログラムと協働する制御処理部が前記受信した前記予約指定日時を前記ＩＤに対応する医療情報の一部として記憶部に記憶する構成等とすることが可能である。
【産業上の利用可能性】
【００３１】
本発明は、例えばサーバ相互やサーバと端末との通信ネットワークを構成する場合に利用することができる。
【図面の簡単な説明】
【００３２】
【図１】第１実施形態の通信接続機器を示す横断面図。
【図２】第１実施形態の通信接続機器を示す縦断面図。
【図３】第２実施形態の通信接続機器を示す横断面図。
【図４】第３実施形態の通信接続機器を示す横断面図。
【図５】実施形態の医療支援システムの構成図。
【符号の説明】
【００３３】
１…通信接続機器  ２、３…データ送受信部  ２１、３１…支柱  ２２、３２…取付基板  ２３、３３…回路基板  ２４、３４…赤外線ＬＥＤ  ２５、３５…フォトトランジスタ  ２６、３６…挿入部  ２７、３７…電源部  ４、４ａ…ケース  ４１…上蓋  ４２…側壁  ４３…挿通孔  ５、６、５ａ、６ａ…通信ケーブル  ５１、６１…端子  １００…医療支援システム  １０１…医療情報管理サーバ  １０２…予約情報管理サーバ  １０３…院内端末  ２００…患者端末  ３００…インターネット
【図１】
2009004934.tif 000003
【図２】
2009004934.tif 000004
【図３】
2009004934.tif 000005
【図４】
2009004934.tif 000006
【図５】
2009004934.tif 000007